【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
宝くじシステムの動作方法であって、
インスタント宝くじゲームのための提示物セットを、サーバにおいて、受信するステップと、
前記提示物セットを、複数の所定のエントリを有する賞プールに関連づけるステップと、
前記複数の所定のエントリの中の各エントリを、前記提示物セットの中の提示物に関連づけるステップと、
前記インスタント宝くじゲームをプレイするための要求を、クライアントにおいて、受信するステップと、
前記サーバにおいて、前記複数の所定のエントリの中から一つのエントリを無作為に選択するステップと、
前記サーバにおいて、前記インスタント宝くじゲームについての前記提示物セットの中から前記エントリに関連づけられた前記提示物を選択するステップと、
前記提示物から前記クライアントに情報を通信するステップと、
前記クライアントにおいて、前記提示物からの前記情報を使用してチケットを表示するステップと、
を有し、
前記提示物セットの中の各提示物は、宝くじチケットの少なくとも一部を有するものであり、
前記インスタント宝くじゲームは、複数の利用可能なインスタント宝くじゲームの中から選択されていることを特徴とする方法。
【請求項２】
前記提示物からの前記情報は、前記インスタント宝くじゲームをプレイするための要求に対応して前記クライアントに通信される請求項１に記載の方法。
【請求項３】
前記提示物セットからの情報は、前記インスタント宝くじゲームをプレイするための要求に先だって、前記クライアントに通信されるとともに、
前記提示物セットからの前記情報は、前記チケットを表示するために使用される請求項１に記載の方法。
【請求項４】
前記提示物からの前記情報は、部分的な宝くじチケット画像を有している請求項１に記載の方法。
【請求項５】
前記提示物からの前記情報は、完全な宝くじチケット画像を有している請求項１に記載の方法。
【請求項６】
前記提示物からの情報は、符号化シンボルのセットを有している請求項１に記載の方法。
【請求項７】
前記提示物からの情報は、前記符号化シンボルのセットにおける各符号化シンボルについての位置情報をさらに有している請求項６に記載の方法。
【請求項８】
前記シンボルは、ユニコード形式で符号化されている請求項６に記載の方法。
【請求項９】
前記賞プールの中の各エントリを単一の個々の結果に関連づけるステップを、さらに有する請求項１，２，３，４，５，６，７または８に記載の方法。
【請求項１０】
前記提示物に関連した前記エントリに関連づけられた前記結果に基づいて賞を与えるステップを、さらに有する請求項９に記載の方法。
【請求項１１】
前記エントリは、前記クライアントにおいて受信された価格ポイントに基づいて無作為に選択される請求項１，２，３，４，５，６，７または８に記載の方法。
【請求項１２】
前記エントリは、置換処理をせずに選択される請求項１，２，３，４，５，６，７または８に記載の方法。
【請求項１３】
前記賞プールは、所定の最小払戻金を提供するように構成されている請求項１，２，３，４，５，６，７または８に記載の方法。
【請求項１４】
前記エントリは、置換処理をして選択される請求項１，２，３，４，５，６，７または８に記載の方法。
【請求項１５】
前記チケットを表示するステップは、インスタント当たり宝くじチケットを印刷するステップをさらに有する請求項１，２，３，４，５，６，７または８に記載の方法。
【請求項１６】
前記チケットを表示するステップは、前記クライアントにおいて前記情報を電子的に表示するステップをさらに有する請求項１，２，３，４，５，６，７または８に記載の方法。
【請求項１７】
前記提示物セットのすべての提示物と、各提示物に関連づけられた前記エントリに関連づけられた前記結果とを、出力するステップをさらに有する請求項９に記載の方法。
【請求項１８】
全ての提示物が正しい結果に関連づけられていることを証明するステップをさらに有する請求項１７に記載の方法。
【請求項１９】
複数の価格ポイントを前記インスタント宝くじゲームに関連させるステップと、
各価格ポイントについて、異なる賞プールを前記インスタント宝くじゲームに関連させるステップとをさらに有する請求項１，２，３，４，５，６，７または８に記載の方法。
【請求項２０】
前記サーバにおいて、第２インスタント宝くじゲームのための提示物の第２セットを受信するステップと、
前記提示物の第２セットを第２賞プールに関連づけるステップと、
前記第２賞プールの中の各エントリを前記提示物の第２セットの中の提示物に関連づけるステップと、
前記第２インスタント宝くじゲームをプレイするための要求を、前記クライアントにおいて、受信するステップと、
前記サーバにおいて、前記第２賞プールの中から第２エントリを無作為に選択するステップと、
前記サーバにおいて、前記第２インスタント宝くじゲームについての前記提示物の第２セットから前記第２エントリに関連づけられた第２提示物を選択するステップと、
前記第２提示物から前記クライアントに情報を通信するステップと、
前記クライアントにおいて、前記第２提示物からの前記情報を使用して第２チケットを表示するステップと、
をさらに有し、
前記提示物の第２セットの中の各提示物は、第２宝くじチケットの一部を少なくとも有し、
前記第２賞プールは、複数の所定のエントリを有し、
前記第２インスタント宝くじゲームは、前記複数の利用可能なインスタント宝くじゲームの中から選択されている請求項１，２，３，４，５，６，７または８に記載の方法。
【請求項２１】
前記インスタント宝くじゲームについてのチケット要求情報を前記クライアントから送信するステップをさらに有する請求項１，２，３，４，５，６，７または８に記載の方法。
【請求項２２】
前記チケット要求情報は、ゲーム識別子と、価格ポイントと、購入されるチケットの番号と、前記エントリの選択で使用される利用者選択情報とのうちの少なくとも１つを有する請求項２１に記載の方法。
【請求項２３】
前記クライアントは、専用宝くじ端末である請求項１，２，３，４，５，６，７または８に記載の方法。
【請求項２４】
前記クライアントは、ＰＯＳ(point of sale)端末である請求項１，２，３，４，５，６，７または８に記載の方法。
【請求項２５】
マルチゲーム・インスタント宝くじゲームシステムであって、
複数の宝くじゲームに関連づけられて、サーバに保存された、複数の賞プールと、
複数の提示物セットとを有し、
各賞プールは、複数の賞品階層を持っており、
各賞品階層は、個々の結果に関連づけられており、
各提示物セットは、複数の宝くじゲームの個々のものの一つに関連づけられており、
宝くじゲームに関連づけられた提示物セットの中の各提示物は、宝くじゲームに関連づけられた前記賞プールの中の前記賞品階層の個々のものの一つに関連づけられているとともに、少なくとも宝くじチケットの一部を有していることを特徴とするシステム。
【請求項２６】
前記複数のインスタント宝くじゲームの中から選択された第１インスタント宝くじゲームをプレイするための要求を受信するように構成されたクライアントと、
前記クライアントと通信するサーバとをさらに有し、
前記第１インスタント宝くじゲームは、第１賞プールと前記提示物の第１セットとに関連づけられており、
前記サーバは、前記第１賞プールからエントリを無作為に選択するように構成されており、
前記エントリは、前記第１賞プールの第１賞品階層に関連づけられており、
前記サーバは、前記提示物の第１セットの第１提示物からの提示物情報を、前記第１賞プールの前記第１賞品階層に関連づけて、前記クライアントに通信するようにも構成されている請求項２５に記載のシステム。
【請求項２７】
前記提示物情報は、第１宝くじチケットを購入するための要求に対応して、前記クライアントに転送される請求項２６に記載のシステム。
【請求項２８】
前記提示物の第１セットからの情報は、第１宝くじチケットを購入するための要求に先だって、前記クライアントに転送される請求項２６に記載のシステム。
【請求項２９】
前記提示物情報は、部分的な宝くじチケット画像を有している請求項２６に記載のシステム。
【請求項３０】
前記提示物情報は、完全なチケット画像を有している請求項２６に記載のシステム。
【請求項３１】
前記提示物情報は、シンボルのセットを有している請求項２６に記載のシステム。
【請求項３２】
前記提示物情報は、前記シンボルのセットについての位置決め情報を有している請求項３１に記載のシステム。
【請求項３３】
前記提示物情報は、前記シンボルのセットについての順序情報を有している請求項３１に記載のシステム。
【請求項３４】
前記提示物情報は、前記シンボルについてのユニコードを有している請求項３１に記載のシステム。
【請求項３５】
前記クライアントは、後抽選（future draw）宝くじチケットを販売するように構成されている請求項２５，２６，２７，２８，２９，３０，３１，３２，３３または３４に記載のシステム。
【請求項３６】
前記クライアントは、さらに、ゲームではないサービスまたは商品の販売のためのキャッシュレジスタとして構成されている端末である請求項２５，２６，２７，２８，２９，３０，３１，３２，３３または３４に記載のシステム。
【請求項３７】
前記クライアントは、ビデオ宝くじゲーム端末である請求項２５，２６，２７，２８，２９，３０，３１，３２，３３または３４に記載のシステム。
【請求項３８】
前記クライアントは、チケットプリンタを有する端末であるとともに、
前記端末は、前記提示物情報を使用して宝くじゲームチケットを印刷するように構成されている請求項２５，２６，２７，２８，２９，３０，３１，３２，３３または３４に記載のシステム。
【請求項３９】
前記クライアントは、電子表示装置を有する端末であるとともに、
前記端末は、前記提示物情報を使用して宝くじゲームチケットを表示するように構成されている請求項２５，２６，２７，２８，２９，３０，３１，３２，３３または３４に記載のシステム。
【請求項４０】
前記クライアントは、さらに、複数の宝くじゲームの中から選択された第２インスタント宝くじゲームをプレイするための要求を受信するように構成されており、
前記第２インスタント宝くじゲームは、第２賞プールと提示物の第２セットとに関連づけられており、
前記サーバは、さらに、前記第２賞プールの中から第２エントリを無作為に選択するように構成されており、
前記第２エントリは、前記第２賞プールの第２商品階層に関連づけられており、
前記サーバは、前記提示物の第２セットの第２提示物からの提示物情報を、前記第２賞プールの前記第２賞品階層に関連づけて、前記端末に通信するようにも構成されている請求項２６，２７，２８，２９，３０，３１，３２，３３または３４に記載のシステム。
【請求項４１】
前記複数のインスタント宝くじゲームのうちの少なくとも１つは、複数の価格ポイントを持っており、
前記インスタント宝くじゲームのうちの少なくとも１つは、各プライスポイントについて、複数の賞プールにおける別の賞プールに関連づけられている請求項２５，２６，２７，２８，２９，３０，３１，３２，３３または３４に記載のシステム。
【請求項４２】
前記サーバは、新しい宝くじゲームに関連づけて新しい提示物セットを受信して、前記新しい提示物セットと前記新しい宝くじゲームとを前記複数の賞プールにおける１つの賞プールに関連づけるとともに、前記新しい提示物セットからの提示物情報を前記クライアントに転送するように構成されている請求項２５，２６，２７，２８，２９，３０，３１，３２，３３または３４に記載のシステム。
【請求項４３】
提示物セットにおける全ての前記提示物とそれらに関連した賞品階層とを表示するように構成された監査報告書生成装置をさらに有している請求項２５，２６，２７，２８，２９，３０，３１，３２，３３または３４に記載のシステム。
【請求項４４】
プロセッサと、
前記プロセッサがアクセスできる記憶装置と、
前記プロセッサがアクセスできて、インスタント宝くじゲームをプレイするための要求を入力するように構成された入力装置と、
前記プロセッサがアクセスできて、宝くじサーバとの通信を容易にするように構成されたネットワークインタフェースと、
前記プロセッサがアクセスできる出力装置と、
を有し、
前記プロセッサは、前記インスタント宝くじゲームをプレイするための前記要求に応答して、チケット要求を前記宝くじサーバに転送するように構成されており、
前記プロセッサは、提示物のセットの中から選択されたものであって、賞プールの中から無作為に選択されたエントリに関連づけられた、提示物情報を有するチケット応答を受信するようにさらに構成されており、
前記賞プールは、複数の所定のエントリを有しており、
前記提示物情報は、インスタント宝くじチケットの一部を少なくとも有しており、
前記プロセッサは、前記チケット応答を使用して、チケットを作成するようにさらに構成されており、
前記出力装置は、前記チケットを表示するように構成されていることを特徴とする宝くじ端末。
【請求項４５】
前記プロセッサは、前記インスタント宝くじゲームをプレイするための前記要求の受信に先だって、前記提示物のセットから情報を受信するようにさらに構成されている請求項４４に記載の宝くじ端末。
【請求項４６】
前記プロセッサは、前記インスタント宝くじゲームをプレイするための前記要求に対応した提示物情報を有する前記チケット応答を受信するようにさらに構成されている請求項４４に記載の宝くじ端末。
【請求項４７】
前記提示物情報は、部分的な宝くじチケット画像を有している請求項４４に記載の宝くじ端末。
【請求項４８】
前記提示物情報は、完全なチケット画像を有している請求項４４に記載の宝くじ端末。
【請求項４９】
前記提示物情報は、シンボルのセットを有している請求項４４に記載の宝くじ端末。
【請求項５０】
前記提示物情報は、前記シンボルのセットについての位置決め情報を有している請求項４９に記載の宝くじ端末。
【請求項５１】
前記提示物情報は、前記シンボルのセットについての順序情報を有している請求項４９に記載の宝くじ端末。
【請求項５２】
前記提示物情報は、前記シンボルについてのユニコードを有している請求項４９に記載の宝くじ端末。
【請求項５３】
前記記憶装置は、部分的なチケット画像を記憶するものであり、
前記提示物情報は、シンボルのセットを有しており、
前記プロセッサは、前記チケット応答と前記部分的なチケット画像とを使用して前記チケットを作成するように、さらに構成されている請求項４４に記載の宝くじ端末。
【請求項５４】
前記プロセッサは、前記チケット応答と前記提示物のセットからの前記情報とを使用して、チケットを作成するように、さらに構成されている請求項４５に記載の宝くじ端末。
【請求項５５】
前記チケット要求は、ゲーム識別子と価格ポイント選択とを有する請求項４４，４５，４６，４７，４８，４９，５０，５１，５２，５３または５４に記載の宝くじ端末。
【請求項５６】
前記プロセッサがアクセスできて、前記インスタント宝くじゲームをプレイするための前記要求に関連した支払いを受け入れるように構成された貨幣受容器をさらに有する請求項４４，４５，４６，４７，４８，４９，５０，５１，５２，５３または５４に記載の宝くじ端末。
【請求項５７】
前記プロセッサがアクセスできて、前記インスタント宝くじゲームをプレイするための前記要求に関連した支払いを受け入れるように構成されているクレジットカードリーダをさらに有する請求項４４，４５，４６，４７，４８，４９，５０，５１，５２，５３または５４に記載の宝くじ端末。
【請求項５８】
前記記憶装置は、前記インスタント宝くじゲームに関連した一般的な情報を記憶するものであり、
前記提示物情報は、単一のチケットに関連付けられた特定情報を有しており、
前記プロセッサは、前記チケット応答と前記一般的な情報とを使用して前記チケットを作成するように、さらに構成されている請求項４４，４５，４６，４７，４８，４９，５０，５１，５２，５３または５４に記載の宝くじ端末。
【請求項５９】
前記出力装置は、前記チケットの画像を表示するように構成されたビデオスクリーンである請求項４４，４５，４６，４７，４８，４９，５０，５１，５２，５３または５４に記載の宝くじ端末。
【請求項６０】
前記出力装置は、ペーパーチケットとして前記チケットを印刷するように構成されたプリンタである請求項４４，４５，４６，４７，４８，４９，５０，５１，５２，５３または５４に記載の宝くじ端末。
【請求項６１】
前記プロセッサは、
前記チケットについての買い戻し要求を受信し、
前記買い戻し要求に応答して、前記サーバに認証要求を転送し、
買い戻し応答を受信し、
前記買い戻し応答の受信に応答して、前記チケットを買い戻すように、さらに構成されている請求項４４，４５，４６，４７，４８，４９，５０，５１，５２，５３または５４に記載の宝くじ端末。
【請求項６２】
前記プロセッサがアクセスできる貨幣自動支払機をさらに有し、
前記認証応答の受信に応答して、前記貨幣自動支払機が貨幣を出力する請求項６１に記載の宝くじ端末。
【請求項６３】
前記認証応答の受信に応答して、前記プロセッサは、第２チケットを作成するようにさらに構成されている請求項６１に記載の宝くじ端末。
【請求項６４】
前記プロセッサは、クレジット課金についての処理をするように、さらに構成されており、
前記認証応答の受信に応答して、前記プロセッサは、前記クレジット課金において払い戻すようにさらに構成されている請求項６１に記載の宝くじ端末。
【請求項６５】
前記プロセッサがアクセスできて、前記チケットを特定する情報を読み取るように構成されているチケットリーダをさらに有し、
前記認証要求は、前記チケットを特定する前記情報を有する請求項６１に記載の宝くじ端末。
【請求項６６】
前記チケットを特定する前記情報は、前記チケットに印刷されたセキュリティコードを有している請求項６１に記載の宝くじ端末。
【請求項６７】
前記入力装置は、前記チケットを特定する前記情報を受け入れるように構成さおり、
前記認証要求は、前記チケットを特定する前記情報を有する請求項６１に記載の宝くじ端末。
【請求項６８】
前記入力装置は、キーボードである請求項６１に記載の宝くじ端末。
【請求項６９】
前記入力装置は、第２インスタント宝くじゲームをプレイするための要求を入力するようにさらに構成されており、
前記プロセッサは、前記第２インスタント宝くじゲームをプレイするための前記要求に対応して、第２チケット要求を前記宝くじサーバに転送するようにさらに構成されており、
前記プロセッサは、提示物の第２セットの中から選択されたものであって、第２賞プールの中から無作為に選択された第２エントリに関連づけられた、第２提示物情報を有する第２チケット応答を受信するようにさらに構成されており、
前記第２賞プールは、複数の所定の第２エントリを有しており、
前記第２提示物情報は、第２インスタント宝くじチケットの一部を少なくとも有しており、
前記プロセッサは、前記第２チケット応答を使用して、第２チケットを作成するようにさらに構成されており、
前記出力装置は、前記第２チケットを表示するように構成されている請求項４４，４５，４６，４７，４８，４９，５０，５１，５２，５３または５４に記載の宝くじ端末。
【請求項７０】
プロセッサと、
前記プロセッサがアクセスできて、インスタント宝くじゲームに関連づけられた賞プールを記憶するように構成された記憶ユニットと、
前記プロセッサがアクセスできて、クライアントとの通信を容易にするように構成されたネットワークインタフェースと、
を有し、
前記賞プールは、複数の所定のエントリを有しており、
各エントリは、識別番号と賞の値とを有しており、
前記記憶ユニットは、提示物のセットを記憶するように構成されており、
前記複数の所定のエントリのそれぞれは、前記提示物のセットにおける１つの提示物に関連づけられており、
前記提示物のセットにおける各提示物は、インスタント宝くじチケットの少なくとも一部を有しており、
前記プロセッサは、チケットについての要求に応答して、前記賞プールの中からエントリを無作為に特定するとともに、使用されるエントリとしてマーキングするように構成されており、
前記プロセッサは、前記エントリを使用して、前記エントリに関連づけられた提示物のセットにおける提示物からの提示物情報を含めるように、チケット応答を作成するように構成されており、
前記プロセッサは、前記チケット応答を前記クライアントに転送するように構成されており、
前記プロセッサは、チケットを特定する情報を有するチケット売上レコードを記憶するように構成されていることを特徴とする宝くじサーバ。
【請求項７１】
前記プロセッサは、前記チケットについての前記要求に先だって、前記提示物のセットからの情報を、前記クライアントに、転送するようにさらに構成されている請求項７０に記載の宝くじサーバ。
【請求項７２】
前記プロセッサは、前記チケットについての前記要求に応答して、前記提示物情報を含めて、前記チケット応答を転送するようにさらに構成されている請求項７０に記載の宝くじサーバ。
【請求項７３】
前記提示物情報は、部分的なチケット画像を有している請求項７０に記載の宝くじサーバ。
【請求項７４】
前記提示物情報は、完全なチケット画像を有している請求項７０に記載の宝くじサーバ。
【請求項７５】
前記提示物情報は、シンボルのセットを有している請求項７０に記載の宝くじサーバ。
【請求項７６】
前記提示物情報は、前記シンボルのセットについての位置決め情報を有している請求項７０に記載の宝くじサーバ。
【請求項７７】
前記提示物情報は、前記シンボルのセットについての順序情報を有している請求項７０に記載の宝くじサーバ。
【請求項７８】
前記提示物情報は、前記シンボルについてのユニコードを有している請求項７０に記載の宝くじサーバ。
【請求項７９】
前記提示物情報は、前記チケットを形成するためにインスタント宝くじゲームについての一般的な情報と結合可能な、前記チケットに特有の情報を有している請求項７０に記載の宝くじサーバ。
【請求項８０】
前記記憶ユニットは、第２インスタント宝くじゲームに関連づけられた第２賞プールを記憶するように構成されており、
前記第２賞プールは、所定数の第２エントリを有しており、
各第２エントリは、第２識別番号と第２の賞の値とを有しており、
前記記憶ユニットは、第２の提示物のセットを記憶するように構成されており、
前記複数の所定の第２エントリのそれぞれは、前記第２提示物のセットにおける１つの第２提示物に関連づけられており、
前記第２提示物のセットにおける各第２提示物は、第２インスタント宝くじチケットの少なくとも一部を有しており、
前記プロセッサは、前記第２インスタント宝くじゲームからの第２チケットについての要求に応答して、前記第２賞プールの中から第２エントリを無作為に特定するとともに、使用される第２エントリとしてマーキングするように構成されており、
前記プロセッサは、前記第２エントリを使用して、前記第２エントリに関連づけられた前記第２提示物のセットにおける第２提示物を含めるように、第２チケット応答を作成するように構成されており、
前記プロセッサは、前記第２チケット応答を前記クライアントに転送するように構成されており、
前記プロセッサは、第２チケットを特定する情報を有する第２チケット売上レコードを記憶するように構成されている請求項７０，７１，７２，７３，７４，７５，７６，７７，７８または７９に記載の宝くじサーバ。
【請求項８１】
前記チケット応答は、前記チケットを特定するシリアル番号を有している請求項７０，７１，７２，７３，７４，７５，７６，７７，７８または７９に記載の宝くじサーバ。
【請求項８２】
前記プロセッサは、前記エントリに関連づけられた前記識別番号に基づいてエントリを無作為に特定するように構成されている請求項７０，７１，７２，７３，７４，７５，７６，７７，７８または７９に記載の宝くじサーバ。
【請求項８３】
前記賞プールは、リレーショナルデータベースと、リンクドリストと、アレイとのうちのテーブルの一つとして記憶されている請求項７０，７１，７２，７３，７４，７５，７６，７７，７８または７９に記載の宝くじサーバ。
【請求項８４】
前記プロセッサは、前記要求が認可されたソースから受信されたものであることを保証するために、チケットについての前記要求に対応して、前記チケットについての前記要求を確認するようにさらに構成されている請求項７０，７１，７２，７３，７４，７５，７６，７７，７８または７９に記載の宝くじサーバ。
【請求項８５】
前記記憶ユニットは、前記インスタント宝くじゲームに関連づけて第２賞プールを記憶するようにさらに構成されており、
前記賞プールは、前記インスタント宝くじゲームについての第１価格ポイントに関連づけられており、
前記第２賞プールは、前記インスタント宝くじゲームについての第２価格ポイントに関連づけられている請求項７０，７１，７２，７３，７４，７５，７６，７７，７８または７９に記載の宝くじサーバ。
【請求項８６】
前記記憶ユニットは、前記インスタント宝くじゲームに関連づけられた第２賞プールを記憶するようにさらに構成されており、
前記賞プールは、前記インスタント宝くじゲームについての第１権限範囲に関連づけられており
前記第２賞プールは、前記インスタント宝くじゲームについての第２権限範囲に関連づけられている請求項７０，７１，７２，７３，７４，７５，７６，７７，７８または７９に記載の宝くじサーバ。
【請求項８７】
前記記憶ユニットは、前記インスタント宝くじゲームに関連づけられた第２賞プールを記憶するようにさらに構成されており、
前記賞プールは、前記インスタント宝くじゲームについての第１時間に関連づけられており、
前記第２賞プールは、前記インスタント宝くじゲームについての第２時間に関連づけられている請求項７０，７１，７２，７３，７４，７５，７６，７７，７８または７９に記載の宝くじサーバ。
【請求項８８】
前記プロセッサは、前記賞プールの中から前記エントリを無作為に特定することに対応して、前記賞プールがリフレッシュされているか否かを判断するために、所定条件について検査するようにさらに構成されている請求項７０，７１，７２，７３，７４，７５，７６，７７，７８または７９に記載の宝くじサーバ。
【請求項８９】
前記プロセッサは、前記賞プールがリフレッシュされていると判断することに対応して、前記賞プールを補充するようにさらに構成されている請求項８８に記載の宝くじサーバ。
【請求項９０】
前記プロセッサは、前記賞プールがリフレッシュされていると判断することに対応して、前記賞プールをリセットするようにさらに構成されている請求項８８に記載の宝くじサーバ。
【請求項９１】
前記チケットを特定する前記情報は、シリアル番号を有している請求項７０，７１，７２，７３，７４，７５，７６，７７，７８または７９に記載の宝くじサーバ。
【請求項９２】
前記チケットを特定する前記情報は、前記提示物を有している請求項７０，７１，７２，７３，７４，７５，７６，７７，７８または７９に記載の宝くじサーバ。
【請求項９３】
前記プロセッサは、チケット情報を有する買い戻し要求を、買い戻し装置から受信するようにさらに構成されている請求項７０，７１，７２，７３，７４，７５，７６，７７，７８または７９に記載の宝くじサーバ。
【請求項９４】
前記チケット情報は、前記チケットのシリアル番号を有する請求項９３に記載の宝くじサーバ。
【請求項９５】
前記プロセッサは、
前記チケット情報を使用して、前記チケットが有効であるか否かを判断するとともに、
前記チケットが有効であるとの判断に対応して、前記買い戻し装置に認証応答を転送するようにさらに構成されている請求項９３に記載の宝くじサーバ。